(57)【特許請求の範囲】
【請求項１】
トラックの第一物理パラメータの第一変化を示す実質上平行のトラックを有する記録キャリアであって、
前記第一変化が、前記記録キャリアに記録された、制御可能な型のデータ処理手段により再生可能な情報を表し、そして、
前記トラックの第二物理パラメータの第二変化の変調パターンが、前記型のデータ処理を制御するコードを表す記録キャリアにおいて、
前記変調パターンを有するコードトラックに関して、左側の隣接トラックにおける前記変調パターンが、右側の隣接トラックにおける前記変調パターンに整列配置されていることを特徴とする記録キャリア。
【請求項２】
前記第二変化が、前記トラックの縦方向を横断する方向における前記トラックの変位であり、かつ、前記左側の隣接トラックの変位が、同じ方向で、前記右側の隣接トラックの変位と一致することを特徴とする請求項１記載の記録キャリア。
【請求項３】
前記コードトラックと隣接トラックにおける前記変調パターンが、同じコードを表すことを特徴とする請求項１または２記載の記録キャリア。
【請求項４】
前記コードトラックにおける前記変調パターンが、隣接トラックにおける前記変調パターンに整列配置されていることを特徴とする請求項１から３いずれか１項記載の記録キャリア。
【請求項５】
前記第二変化が、前記トラックの縦方向を横断する方向における前記トラックの変位であり、かつ、前記コードトラックにおける前記変調パターンが、隣接トラックにおける前記変調パターンと、逆向きであることを特徴とする請求項４記載の記録キャリア。
【請求項６】
前記第二変化が、周期的であり、かつ前記変調パターンが、位相変調を有し、かつ隣接トラックにおける変調パターンの間の位相差が、所定の量に限定されていることを特徴とする請求項１から５いずれか１項記載の記録キャリア。
【請求項７】
前記トラックが、トラックのらせんまたは同心のパターンを構成し、かつトラックのパターン内における隣接トラックが、同じ数の前記第二変化を示すことを特徴とする請求項１から６いずれか１項記載の記録キャリア。
【請求項８】
前記記録キャリアの限定された領域におけるトラックのみが、前記第二変化を示すことを特徴とする請求項１から７いずれか１項記載の記録キャリア。
【請求項９】
前記限定された領域が、境界ゾーンおよび中心領域を有し、前記中心領域で、前記トラックが、所定の振幅で前記第二変化を示し、前記境界ゾーンで、前記第二変化の振幅が、ゼロから前記所定の振幅まで増加することを特徴とする請求項８記載の記録キャリア。
【請求項１０】
前記限定された領域の位置を特定するための、領域アドレス情報を有することを特徴とする請求項８または９記載の記録キャリア。
【請求項１１】
記録キャリアに情報を記録する方法であって、
前記記録キャリアには、実質上平行なトラックが設けられ、
前記情報が、前記トラックの第一物理パラメータの第一変化でコード化され、該情報は、制御可能な型のデータ処理により再生可能であり、
前記型のデータ処理を制御するコードが、前記トラックの第二物理パラメータの第二変化の変調パターンでコード化される方法において、
前記変調パターンを有するコードトラックに関して、左側の隣接トラックにおける前記変調パターンが、右側の隣接トラックにおける前記変調パターンに整列配置されることを特徴とする方法。
【請求項１２】
前記記録キャリアが回転させられ、前記変調パターンが、当該回転に応じて生成されることを特徴とする請求項１１記載の方法。
【請求項１３】
請求項１から１０いずれか１項記載の記録キャリアから情報を再生する再生装置であって、
前記第一変化に応じて読出し信号を生成する読出手段と、
前記第二変化の前記変調パターンから前記コードを再現する復調手段と、
前記コードに応じて前記情報を再生するため前記読出し信号を処理するデータ処理手段とを有する再生装置において、
前記復調手段が、少なくとも２つのトラックから前記コードを再現することを特徴とする再生装置。
【請求項１４】
前記装置が、前記限定された領域の位置を特定する手段を有することを特徴とする、請求項８から１０いずれか１項記載の記録キャリアから情報を再生する請求項１３記載の再生装置。
【発明の詳細な説明】
【０００１】
【発明が属する技術分野】
【０００２】
本発明は、トラックの第一物理パラメータの第一変化を示す実質上平行のトラックを有する記録キャリアであって、前記第一変化が、前記記録キャリアに記録された、制御可能な型のデータ処理手段により再現可能である情報を表し；そして、前記トラックの第二物理パラメータの第二変化が、データ処理の当該型を制御するコードを表す前記第二変化の変調パターンを表す記録キャリアに関する。
【０００３】
本発明は、さらに、記録キャリアに情報を記録する方法であって、前記記録キャリアには、実質上平行なトラックが設けられ、かつ前記情報が、前記トラックの第一物理パラメータの第一変化でコード化され、そして、その情報が、データ処理の制御可能な型の手段により再現可能であり、そしてデータ処理の当該型を制御するコードが、前記トラックの第二物理パラメータの第二変化の変調パターンでコード化される記録キャリアに情報を記録する方法にも関する。
【０００４】
本発明は、さらに、前記記録キャリアから情報を再生する再生装置であって、前記装置が、前記第一変化に応じて読出し信号を生成する読出手段と、前記第二変化の前記変調パターンから前記コードを再現する復調手段と、前記コードに応じて前記情報を再生する前記読み出された信号を処理するデータ処理手段とを有する情報を再生する再生装置にも関する。
【０００５】
【従来の技術】
記録キャリア、記録方法、そして再生装置からなる情報記録システムは、USP 5,724,327から公知である。この記録キャリアは、情報が、走査される表面の反射率のような、第一物理パラメータの第一変化の光学的に読み込み可能なマークにより所定の態様で表されるトラックを有する。このトラックは、さらに、横断方向におけるトラックの周期的なエクスカーション（ウォブルとも呼ばれる）、マークの深さ、形状または幅における変化のような、第二物理パラメータの第二変化を有する。第二変化は変調され、そしてこの変調パターンは、情報（例えば、スクランブルされた情報として格納されている情報を再生する暗号解読コード）を再生するために使用されるコードを表す。トラックウォブルは、標準記録装置により書き込み可能ディスクにコピーすることができないので、当該コードは、コピープロテクトシステムに使える媒体マークとすることができる。この再生装置は、光学マークを読出す読出手段と、第二変化の変調からコードを再現する復調手段とを有する。プレーヤーと情報キャリアは、制御された情報再生システムを構成する。この目的に対し、このプレーヤは、再現されたコードに応じて情報を再生するデータ処理手段を有する。情報が書き込み可能な情報キャリアにコピーされる場合、コピープロセスの間、第一変化により表された情報しか、書き込み可能な情報キャリアに書き込まれないので、このコピー情報は、当該プレーヤにより再生されないであろう。第二変化は標準記録装置により生成させることができないので、コピーされた情報キャリアは、このコードを含まない。しかしながら、この公知のシステムは、DVDのような既存の高密度記録キャリアには適用させることはできない。何故ならば、このような高密度記録キャリアシステムは、トラックのパラメータに対する許容範囲が狭く、そして第二物理パラメータに必要とされる変調がマークの読出しを中断させ、そして再現された情報に誤差を発生させるからである。
【０００６】
【課題を解決するための手段】
本発明の目的は、媒体マークを有する高密度記録キャリア、およびこのような記録キャリアに対する記録そして再生手段を提供することである。
【０００７】
この目的に対して、第一パラグラフに記載されている記録キャリアが特徴とする点は、前記変調パターンを有するコードトラックに関して、左側の隣接トラックにおける前記変調パターンが、右側の隣接トラックにおける前記変調パターンに整列配置されている点である。コードトラックは、記録情報を再現するさいにデータ処理を制御するコードを、その変調パターンに保持するトラックである。記録キャリアの一つ以上の（または全ての）トラックを、情報トラックとすることができる。コードトラックに隣接しているトラックに整列配置された変調パターンは、変調による第二変化における不正則性が、両方の隣接トラックに存在するので、左側の隣接トラックにおける第二変化が、右側の隣接トラックにおける第二変化に相補的であると言う効果を有する。それゆえ、左側の隣接トラックにおける第二変化により生じる外乱のいかなる増加も、右側の隣接トラックにおける相補変化による外乱の減少により補償される。したがって、トラックのパラメータについての厳しい許容範囲は、効果的に維持させることができ、そして、クロストークは受け入れ可能な値に制限して維持させることが出来る。
【０００８】
本発明は、また、以下の認識にも基づいている。第二変化の振幅は、変調パターンを検出するのに十分に大きくなければならない。しかしながら、高密度記録キャリアの場合、隣接トラックにおける第二変化の変調は、クロストークを発生させるので、記録情報の検出と変調パターンの検出の精度が下がる原因となる。それゆえに、第二変化の振幅は、可能な限り低くなければならない。本発明者等は、隣接トラックに整列配置された変調を使用することにより、左側のトラックの最大ノイズ寄与が、右側のトラックの最大ノイズ寄与と一致しないことを認識した。それゆえ、第二変化の振幅は、相対的に低くても、変調パターンの信頼できる検出には充分である。小振幅のため、マークの読出しの中断および再現された情報における誤差は、最小になる。
【０００９】
本発明の記録キャリアの実施例が特徴とする点は、前記第二変化が、前記トラックの縦方向を横断する方向における前記トラックの変位であり、かつ、前記左側の隣接トラックの変位が、同じ方向で、前記右側の隣接トラックの変位と一致する点である。これは、隣接トラックにおける第一変化のクロストークが減少する利点を有する。何故ならば、ある隣接トラックにおける当該エクスカーションが、コードトラックの読出されたスポットの位置の方に向き、それゆえ、追加のクロストークが生じる場合、他方の隣接トラックのエクスカーションは、読出されたスポットから離れ、それゆえ、クロストークが減少するからである。
【００１０】
本発明の記録キャリアの一実施例が特徴とする点は、前記コードトラックと隣接トラックにおける前記変調パターンが、同じコードを表す点である。これは、隣接トラックが同じ変調を有するので、コードトラックの検出信号がより大きくなるであろうと言う利点を有する。さらに、第二パラメータが横断方向でのエクスカーションの場合、トラックの変調された部分でのトラック間の距離（トラックピッチとも呼ばれる）は、両方のトラックが同じ横断エクスカーションを有するので、同じままである。あるいは、コードトラックにおける変調パターンは、左側の隣接トラックにおける変調パターンとは実質上逆とされる。これは、いくつかの変調形式（例えば、プリグルーブにおけるウォブル）に対しては、コードトラックの検出信号がより大きくなるという長所を有する。
【００１１】
本発明の記録キャリアの実施例が特徴とする点は、前記第二変化が、周期的であり、そして前記変調パターンが、位相変調を有し、そして、隣接トラックにおける変調パターン間の位相差が、所定の量に制限されている点である。このような所定の量は、当該位相変調において発生する位相差より小さくなるように選択される。これは、隣接トラックのいかなる外乱も、実質上コードトラックにおける変調パターンからの読出し信号と、同位相であると言う長所がある。
【００１２】
第一パラグラフに記載した本発明の方法が特徴とする点は、前記変調パターンを有するコードトラックに関して、前記左側の隣接トラックにおける前記変調パターンが、前記右側の隣接トラックにおける前記変調パターンに整列配置されている点である。この方法の効果および利点は、記録キャリアに関して前述された。
【００１３】
第一パラグラフに記載した再生装置が特徴とする点は、前記装置が、少なくとも2つのトラックからコードを再現する手段を有する点である。記録キャリアにおいて、変調パターンが整列配置された結果、少なくとも2つのトラックが同じ変調パターンを有し、同じコードを表すことになる。再生装置において、第一トラックから再現されるコードは、同じコードを有する別のトラックを読出すことにより検証される。これは、コードの再現がより信頼できるものとなる利点を有する。本発明の方法、装置および情報キャリアのさらに好ましい実施例は、従属クレームに与えられている。
【００１４】
本発明のこれらのそしてまた他の態様は、以下の明細書において一例として記載されている実施例および添付の図面を参照して、さらに明らかになるであろう。
【００１５】
異なった図において対応する素子には、同じ参照番号が付されている。
【００１６】
【発明を実施するための形態】
図1aは、トラック9および中心ホール10を有するディスク-形状の記録キャリア1を示す。トラック9は、ターンのらせんパターンに従って情報層に実質上平行のトラックを形成するように構成されている。記録キャリアは、書き込み可能型のまたは予め記録されている型の情報層を有する光ディスクとすることができる。書き込み可能ディスクの具体例は、CD-RおよびCD-RW、およびDVD+RWで、一方、オーディオＣＤまたはDVDビデオが、予め記録されているディスクの具体例である。予め記録されている型のディスクは、マスタディスクをまず記録し、そして中間ステップを経て続いて民生用ディスクをプレスする周知の方法により製造することができる。書き込み可能型の記録キャリアのトラック9は、ブランク記録キャリアの製造の間に設けられる予めエンボスされたトラック構造（例えば、プリグルーブ）により示される。情報は、情報層に、トラックに沿って記録される光学的に検出可能なマークにより、表される。これらのマークは、第一の物理的パラメータの変化により構成されているので、それらの環境とは異なった光学特性または磁気方向（例えば、CDのピットおよびランドと呼ばれる高さの変化）を有する。
【００１７】
図1bは、透明基板5に記録層6および保護層7が設けられている書き込み可能型記録キャリア1のラインb-bについての断面図である。トラック構造は、走査の間、読出し／書込みヘッドがトラック9に追随することを可能にする、例えば、プリグルーブトラック4により構成されている。プリグルーブトラック4は、凹凸の形状として実施することもできるし、周囲の材料とは異なる光物性を有する材料から構成することもできる。プリグルーブトラックは、走査の間、トラック9が読出し／書込みヘッドを追随することを可能にする。トラック構造は、また、周期的にサーボ信号を発生させるために、規則的に分散されたサーボマークにより構成することもできる。記録キャリアは、例えば、ビデオまたはオーディオ情報のリアルタイム情報、またはコンピュータデータのような他の情報を保持することができる。
【００１８】
これらの図1cおよび1dは、トラックの変化の2つの具体例を示す。図1cは、ウォブルとも呼ばれているトラック4の横方向位置の周期的な変化を示す。図1dは、トラック4の幅の変化を示す。これらの変化により、レコーダの読出しヘッド（例えば、サーボ追跡検出器）に付加信号が生じる。ウォブルは、例えば、周波数変調され、そしてディスク情報は、この変調内でコード化される。このような態様でコード化されたディスク情報を有する書き込み可能なCDシステムの総括的記述は、USP 4,901,300（PHN 12.398）およびUSP 5,187,699（PHQ 88.002）に見いだすことができる。読出し専用型の光学記録キャリアの場合、図1cに線図的に描かれているトラック4は、一連のピットにより構成されていて、そしてこの場合のトラックのウォブルは、ピットの横方向の位置の周期的な変化である。
【００１９】
本発明によると、ウォブルは、コピーコントロール、海賊対策および／または他の機能をサポートする識別子であるコードを有する。このコードは、コピープロテクトおよび海賊対策機能のためのデータを含む。書き込み可能型ディスクの場合、プリグルーブまたはトラック構造がウォブルされ、予め記録されている記録キャリアの場合、当該検出可能なマークがウォブルされる（例えば、ピットのウォブル）ことに留意すべきである。マスタリングプロセスの間、ウォブルは、ピットの中心に小さい横方向のオフセットを与えることにより、レーザビームレコーダにより書き込まれる。ウォブルは、サーボ制御信号を使用して、光学ピックアップにより検出可能である。
【００２０】
図2は、記録された領域およびウォブル振幅の線図的なマップを示す。線図的なマップ21は、記録された領域の最初の部分を示し、そしてウォブルの振幅Aを示す。対応するアドレスマップ22が、横に示されている。ウォブルは、記録された全領域の限定された領域のみ（例えば、図2のS1からS4に示されるように、ディスクのリードイン領域内の領域）に位置する。この限定された領域は、本質的な情報を有しないことが好ましい（例えば、ゼロまたは重複データ）。DVD型ディスクの場合、ウォブルには、リードイン領域の初期ゾーンの終わりに、0x02E15Cに等しいかそれより大きいセクターS1と、0x02FF7Cに等しいかそれより小さいセクターS4との間で、特定アドレスが設けられている。
【００２１】
ウォブル振幅が、一トラックで公称値でかつ隣接トラックでゼロである場合、このような境界トラックにおいては、導入部において説明したように、クロストークは、補償されないことに留意すべきである。それゆえ、このようなトラックにおいては、ノイズレベルが増大する。記録キャリアの実施例の場合、境界領域（図2においてS1からS2およびS3からS4）におけるウォブル振幅は、ゼロから公称振幅またその逆に徐々に増加して半径方向の位置に依存すべきである。公称振幅を有する中心領域（S2からS3）は、コードを検出しかつ再現するために使用することができ、一方、境界領域において、ウォブルにより生じる外乱は、ゼロに減るが、限定された領域においては実質上このレベルを超えない。実際的な実施例の場合、ウォブル振幅は、次のようにセクター数のアドレスに依存する。最大振幅は、A = 30nmである。それは、S1 + 0x100 < S2 < 0x02f000のセクターS2と0x02FE00 < S3 < S4 - 0x100のS3の間で（のみ）、その全振幅Aをとらなければならない。これは、全振幅が適用される範囲（S3-S2）が、少なくとも参照コードゾーン、バッファゾーン1および制御データゾーンをカバーしなければならないことを意味する。ウォブル振幅のランプアップおよびランプダウンは、少なくとも、256セクター（ほぼ16ワインディング）をとる。振幅は、S1以下およびS4以上のセクター数に対してはゼロでなければならない。それは、S1とS2の間でゼロからAまでセクター数と共に線形に増大する。それは、セクターS2とS3の間で、Aの一定値を有しなければならない。それは、r3とr4の間でAからゼロに線形に減少する。実際的な実施例の場合、ウォブル振幅は、セクター数ごとにステップ状に、ディスクのワインディングごとにステップ状に、または連続的に増大させることが可能である。好ましくは、ウォブル振幅におけるジャンプは3nmを超えるべきではなく、そして2つの連続するワインディングの如何なるポイントにおいても、振幅差は3nmを超えるべきではない。実際には、CD型ディスクの場合、ウォブル位置は23から24mmの半径に対応する。一実施例の場合、ウォブルは、情報をコード化するピットの位置の（トラックの中心に対する）正弦波のオフセットの形式をとる。ウォブルは、定数角速度（CAV）により書き込まれ、そしてすべてのトラックは同じコードと付加制御ビットにより変調される。それゆえ、ディスクのすべてのワインディングは、振幅またはフェーズエラーにおける可能性のある微小な差を除いて、同じウォブル波形を含む。実際的な実施例の場合、トラック当たりのウォブルシヌソイドの数は、1152である。2つの隣接トラック間の位相オフセットは、可能な限り小さい。実算には、充分な質の読出し信号に対して、位相差は、30度を超えることはできない（ここで、360度が、一つの全ウォブルシヌソイド（一ディスクワインディングの1/1152）に対応する）。
【００２２】
ウォブルにおいてコード化されるコードは、ディスクマークとして使用することができる。ディスクのマスタリングセットアップは、好ましくは暗号機能を使用してウォブルコードが生成される、ディスクマークシード（例えば、64ビット数）を受け入れなければならない。安全上の理由から、如何なる機能も、ウォブルコードに直接挿入することは出来ない。暗号関係を、記録キャリア上のウォブルコードと記録情報との間に使用することができる（例えば、ディスクマークと、すかし（すなわち、オーディオおよび／またはビデオ情報に埋め込まれた制御情報）との間の一方向機能）。データ処理の制御可能な型によるディスクマークの付加制御情報（例えば、いわゆるコントロールチケット）に対する検証とディスクマークの生成と使用についてのより詳しい詳細は、WO98/33176とWO 98/33325に見いだすことができる。一実施例の場合、記録キャリアは、経過領域により分離されるウォブルされたトラックを有する、環状のいくつかの領域を含む。各個別領域内の変調パターンを同じものとし、各領域が異なった変調パターンを有するようにすることができる。それゆえ、多くのコードを、第二変化においてコード化させることができる。経過領域が、何のウォブルも有しないように、または第二環状領域の変調パターンまで第一環状領域から変調パターンを徐々に変化させた経過パターンを有するようにすることができる。
【００２３】
一実施例の場合、コードには、読出しエラーを補正するための誤り訂正コードが設けられる。誤り訂正に対しては、レートR = 1/2でリード-ソロモン[8,4,5]コードを使用することができる。暗号関数からの64ビットは、4 x 4シンボルにグループ化される。一つのコードは、4ビットを含む。リードソロモンエンコーダは、一度に4つのシンボルに作動する。4つのユーザコードx1、x2、x3、x4は、（長さ11の）x4、x3、x2、x1、0、0、0、0、0、0、0に広げられる。4つのECCコードx12、x13、x14、x15は、整式x4 + x + 1を使用して、得られる。誤り訂正エンコーダの出力は、8つのシンボルx1、x2、x3、x4、x12、x13、x14、x15である
【００２４】
図3は、変調パターンの一部を示す。コードは、波形に変換されそしてウォブルにおいてコード化されるデータビットにより表され、そして、これには、コードのスタートを位置決めする同期ワードが設けられる。
【００２５】
図3aは、チャネルビットへのデータビットの変調の具体例とそれに対応する波形31を示す。データビットは、Biphase-Markでコード化されている。Biphase-Markコードの場合、2つのチャネルビットが、一つのデータビットを表す。コードは、常に、データビットの初めで、"0"から"1"または"1"から"0"への遷移を有する。それが値"1"を有する場合、第二遷移は、データビットの中央で発生しなければならない。コード同期のデータビットに加えて、ワードが、コードの開始を検出するために加えられる。4つのデータシンボルのすべての群は、特定な8（チャネル）ビット同期ワードの後になければならない。
【００２６】
図3bは、変調されたウォブルを示す。この変調は、バイナリPhase Shift Keying（PSK）と呼ばれている。チャネルビットは、ウォブルシヌソイドの4つのピリオドを含む。ビット遷移36は、ウォブルシヌソイドのゼロクロッシングでのみ発生する。第一チャネルビット32は値0を有し、第二チャネルビットも0で、第三チャネルビット34は1で、そして第四チャネルビット35は0である。Biphase-Markコーディングにより、データ-ビットは8つのキャリアピリオドであり、そして図3bは2つのデータビットを示す。R = 1/2誤り訂正により、実効的なビット周期は、16のウォブルキャリアピリオドである。検出に対しては、帯域通過特性が、例えば、3dBの範囲で実質上平坦のままであると仮定すると、変調されたウォブルの読出し信号には帯域通過または高域通過のフィルター処理を行うことが出来る。
【００２７】
図3cは、4つの異なった同期ワードを規定する。同期ワードは上記のBiphase-Markコードルールを満たさないので、それらは、容易に認識することができる。同期ワードは、常に位相の反転と共に開始される。同期ワードは、互いの（チャネル-ビット）反転である2つの可能な外観を有する。どの外観が使用されるかは、以前のチャネルビットの最後のビットに依存する。
【００２８】
図3dと3eは、整列配置された変調パターンを示す。これらの図は、横方向のエクスカーションのいくつかの隣接トラックと変調パターンの詳細を示す。これらの図は、正しい比例関係の基では描かれていない（実際には、エクスカーションはトラックピッチの3%から10%である）。本発明によると、変調パターンは、トラックからトラックまで整列配置されている。すなわち、この型の変調に対しては、ゼロクロッシングが、縦の位置で対応している。これらの図において、中央のトラック42、45はコードを表す変調されたパターンを有するコードトラックで、これは、矢印40によって示されるように、左から右に読出される。図3dにおいて、左側の隣接トラック41と右側の隣接トラック43は、コードトラック42と同じ変調パターンを有する。図3eに示される実施例の場合、左側の隣接トラック44における変調パターンは、コードトラック45における変調パターンとは逆である。右側の隣接トラック46は、再び、左側の隣接トラック44の極性を有する。それゆえ、変調はトラックごとに反転される。図1dに示されるトラック幅変調を使用している別の実施例の場合、左側の隣接トラックの変調は、最適のクロストーク補償を達成するために、右側の隣接トラックの変調とは逆である。この場合、左側の隣接トラックの最大幅は、右側の隣接トラックの最小幅と整列配置される。このようなパターンは、2つの反転されたトラックが続く2つの等しい変調されたトラックが繰り返される。
【００２９】
図4は、記録キャリアのレイアウトを示す。トラックの一ワインディングは、同期ワードと交互に、コード語の4つのセグメントによりコード化される。ワインディングは、同期ワード0から開始し、それに64チャネルビットが続き、同期1, 64チャネルビット、同期2, 64チャネルビット、同期3および64チャネルビットが続く。次のワインディングは、正確に同じコードを含む。データビット間のウォブル位相は、どのワインディングの終端と次のワインディングの開始部の間では、反転しなくても良い（これは双位相マーク変調違反ではあるが）。それゆえ、すべてのウォブルされたトラックに、同じ変調パターンが存在する。記録キャリアの一実施例の場合、変調の極性は、図3eに示されるように、トラックごとに反転している。これは、あるトラック構成におけるウォブル検出の読出し信号の強度（例えば、CD 書き込み可能システムに使用されるプッシュプル検出器によるサーボ信号の検出）を改善する。記録キャリアの実際的な一実施例の場合、トラックは、ウォブルキーに対し64コードビット、ECCに対し64ビット、そして(4*8)/2 同期ビットを含む。合計で、トラックの一ワインディングは、正確に4* [2*(64+64) + 4*8] = 1152ウォブルピリオドを含む。ディスクがリードイン領域を読出すためにほぼ25Hzで回転する場合、ウォブル周波数はfw = 1152 *25 Hz = 28.8 kHzとなる。約30kHzのこのようなウォブル周波数は、第一変化によりトラックにおいてコード化された情報が、この範囲に何の周波数成分も実質上有せず、そしてまた、トラッキングサーボ系の帯域積の外側にあると言う利点を有する。それゆえ、変調パターンの検出が、第一変化により乱されることはない。
【００３０】
図5および6は、記録キャリア1を走査する本発明の装置を示す。図5のこの装置は、図1に示される記録キャリアと同一である記録キャリア1を読出すように構成されている。この装置には、記録キャリアのトラックを走査する読出しヘッド52を有する読出し手段、記録キャリア1を回転させるドライブユニット55、例えば、チャネルデコーダとエラー訂正器を有する読出しユニット53、トラッキングユニット51、およびシステム制御ユニット56が設けられている。読出しヘッドは、光学素子により案内される放射ビーム65により、記録キャリアの記録層のトラックにフォーカスされる放射スポット66を生成する公知の型の光学システムを有する。放射ビーム65は、放射線源（例えば、レーザーダイオード）により生成される。読出しヘッドは、更に、記録層に放射ビーム65をフォーカスするフォーカスアクチュエータと、半径方向でトラックの中心にスポット66を微細位置決めするトラッキングアクチュエータ59を含む。トラッキングアクチュエータ59は、光学素子を半径方向に移動させるコイルを有することができ、また、読出しヘッドの可動部分の、または光学システムの一部が固定された位置にマウントされている場合には、固定された位置の一部の、反射素子の角度を変化させるように構成することができる。記録層により反射される放射は、読出し信号、トラッキングエラーおよびフォーカスエラー信号を含む検出器信号57を生成する通常の型（例えば、四象限ダイオード）の検出器により検出される。この装置には、読出しヘッドからのトラッキングエラー信号を受信しかつトラッキングアクチュエータ59を制御する、読出しヘッドに結合されたトラッキングユニット51が設けられている。トラッキングユニットは、例えば、トラックの中心線に対する読出しヘッドの偏差が、トラックにおけるマーク（例えば、ピット）を走査するさいに、副検出器からの信号間に発生する位相差から検出される、微分位相検波（DPD）型とすることができる。これに代えて、トラッキングユニットを、当該偏差が、トラックの左側と右側からの検出器信号に基づいて検出される、周知のプッシュプル型とすることもできる。読出しの間、読出し信号は、読出しユニット53において、矢印64により示される出力情報に変換される。この目的のために、読出しユニット53は、記録キャリアからのコードに基づいて制御される（例えば、アクセス管理を、記録キャリアから再現されるコードに基づいて実行させることができる）制御可能な型のデータ処理を有する。この装置は、トラックの半径方向に読出しヘッド52を位置決めする粗位置決め手段54を有し、微細位置決めは、トラッキングアクチュエータ59により行われる。この装置には、変調パターンを有するコードトラックを走査するさい、検出器信号57からのコードを検出しかつ復調するコード検出器50が設けられている。例えば、トラックは、図3を参照して上述したように、縦のトラック方向を横切る周期的なエクスカーションにより変調させることができる。このような変調は、半径方向のトラッキングサーボ信号から検出することができる。この装置には、さらに、制御コンピューターシステムからのまたはユーザからの命令を受信しかつ制御ライン58（例えば、ドライブユニット55、位置決め手段54、コード検出器50、トラッキングユニット51および読出しユニット53に接続されているシステムバス）を介してこの装置を制御する制御ユニット56が、設けられている。この目的に対し、制御ユニットは、後述する手順を実行するために、制御回路（例えば、マイクロプロセッサ）、プログラムメモリおよびコントロールゲートを有する。制御ユニット56は、また、論理回路におけるステートマシンとして実施させることができる。制御ユニット56は、コード検出器50によるトラックからのコードを再現しかつ読出しユニット53においてデータ処理の型を制御するように構成されている。例えば、コードは、コピー保護されたビデオ情報の解読に使用される暗号解読キーとすることができる。コードの信頼できる検出に対しては、制御ユニット56は、少なくとも2つのトラックからコードを検出するように構成されている。第一コードトラックは、所定のトラックで（例えば、所定の半径方向の位置または所定のアドレスに）読出しヘッドを位置決めすることにより、検知される。次いで、コードが当該第一コードトラックから検出される。検出されたコードを検証するために、第二コードトラック（例えば、トラックの次のワインディング）が、走査される。検出された第二コードは第一コードと比較され、等しい場合には、コードはデータ処理ユニットに渡される。システムの一実施例の場合、コードには、エラー検出シンボルを設けることができ、そして制御ユニットは、エラーがエラーシンボルにより示されるときのみ、異なったコードトラックからコードを読出すことを決定することができる。これに代えて、制御ユニットが、半径方向の異なった位置にある2つのトラックを読出しかつ再現されたコードを比較するように構成させることもできる。再現されたコードが等しくない場合には、さらにトラックが読出され、再現されたコード（または読出し信号）は、コードを充分な確実性（例えば、5つの内少なくとも4つのトラックが同じコードを有する状況）で決定することができるまで、記憶装置に保持される。一実施例の場合、読出し装置は、変調された領域（すなわち、図2を参照して上述した変調されたトラックをを有する記録キャリアの制限された領域）の位置決めをする手段を有する。この装置は、変調された領域の位置決めをするために所定の変調された領域アドレス情報を含む記憶装置を有することができる。これに代えて、このようなアドレス情報は、記録キャリアの、例えば、システム情報領域に設けることもできる。制御ユニット56は、変調された領域アドレス情報によって示されるように、記録キャリアの変調された領域のコードトラックにアクセスするために、位置決め手段54とトラッキングアクチュエータ59を制御するように構成される。
【００３１】
図6は、例えば、電磁放射のビーム65によって光磁気でまたは光学的に（位相変化または染料により）（再）書き込み可能な型の本発明の記録キャリアに情報を書き込む装置を示す。この装置も、それが書き込み／読出しヘッド62を含む書き込み手段と、例えば、フォーマッタ、誤差エンコーダおよびチャネルエンコーダを有する書込み信号処理ユニット60とを有することを除いては、通常、読出しのための装置で、図5と共に上述された読出し装置と同じ素子を有する。書き込み／読出しヘッド62は、書込み機能も有する読出しヘッド52と同じ機能を有し、そして書込み信号処理ユニット60に結合されている。（矢印63により示した）書込み信号処理ユニット60の入力に提供される情報は、フォーマットおよびコード化ルールに従って論理および物理セクターに配布され、そして書き込み／読出しヘッド62に対する書込み信号61に変換される。システム制御ユニット56は、書込み信号処理ユニット60を制御し、かつ読出し装置に対して上述した位置情報の回復と位置決め手順を実行するように構成されている。書込みオペレーションの間、情報を表すマークが、記録キャリアに形成される。光ディスクに記録することに対する情報の書込みと読出しおよび使用可能なフォーマッティング（エラー修正とチャネルコーディングルール）は、従来技術（例えば、CDシステム）において周知である。特に、コード検出手段50は、読出し装置の場合に述べたように、変調されたトラックからコードを再現するように構成されている。データクロックが、書込み信号処理ユニット60および／または読出しユニット53を制御するために使用される。データクロック生成手段は、例えば、ディスクのゾーンの半径方向の位置と回転割合に基づいてシステム制御ユニット56により制御させることができ、および／または、ウォブルにロックさせることができる。
【００３２】
ブランク記録キャリアに変調されたトラックを設ける記録方法は、次の工程を有する。この方法において、記録キャリアには、実質上平行のトラックが設けられ、そして制御可能な型のデータ処理により再現出来る情報が、トラックの第一物理パラメータの第一変化でコード化され、そしてデータ処理の当該型を制御するコードが、トラックの第二物理パラメータの第二変化の変調パターンにコード化される。変調パターンを有するコードトラックに関しては、左側の隣接トラックにおける変調パターンは、右側の隣接トラックにおける変調パターンに整列配置される。これは、第二変化の変調を正確に制御（例えば、ディスク-形状の記録キャリアの半径方向の位置に関してトラックを半径方向に位置決め）することにより達成することができる。これに代えて、第二読出しヘッドを、トラックが書き込まれる2トラック前の位置で変調パターンを読出すために使用することもできる。一実施例の場合、記録キャリアは回転し、そして変調は、当該回転位置に応じて制御される。このようなコントロールは、記録キャリアを回転させるモーターからのタコパルスを使用し、そして波形発生装置をタコパルスにロックすることにより達成される。波形発生装置は、更に、書込みの間に第二変化を変調するコードを含む。
【００３３】
本発明は、ウォブル（可変変調された横断エクスカーション）を使用する実施例により、主に説明されたが、トラックの如何なるパラメータ（例えば、書き込まれた部分の平均反射またはあるピットの形状）も適切に変調させることができる。また、情報キャリアについては、光ディスクが記載されたが、磁気ディスクまたはテープのような、他の媒体も、使用することができる。さらに、本発明は、上述した特長の全ての新規な特長または組合せを含む。
【図面の簡単な説明】
【図１】記録キャリアを示す。
【図２】記録された領域およびウォブル振幅の図式的なマップを示す。
【図３】変調パターンの一部を示す。
【図４】記録キャリアのレイアウトを示す。
【図５】再生装置を示す。
【図６】記録装置を示す。
【符号の説明】
1  記録キャリア
4  プリグルーブトラック
5  透明基板
6  記録層
7  保護層
9  トラック
22  アドレスマップ
32  第一チャネルビット
34  第三チャネルビット
36  ビット遷移
41  左側の隣接トラック
42  中央のトラック
44  左側の隣接トラック
45  中央のトラック
46  右側の隣接トラック
51  トラッキングユニット
52  読出しヘッド
53  読出しユニット
55  ドライブユニット
56  システム制御ユニット
59  トラッキングアクチュエータ
65  放射ビーム
66  放射スポット
【図１】
0004409775.tif 000002
【図２】
0004409775.tif 000003
【図３】
0004409775.tif 000004
【図４】
0004409775.tif 000005
【図５】
0004409775.tif 000006
【図６】
0004409775.tif 000007